(57)【特許請求の範囲】
【請求項１】
ｐＨ１２．０以上のアルカリ電解水からなる第一液の噴霧水滴と、
ｐＨ５〜１０の範囲であってアルコール類を含まず、且つ銅イオン及び／又は亜鉛イオンを含む水溶液からなる第二液の噴霧水滴とを、臭い成分が存在する雰囲気に同時に存在させることを特徴とする消臭方法。
【請求項２】
前記第一液を噴霧し、その水滴が残存するうちに前記第二液を噴霧することを特徴とする請求項１に記載の消臭方法。
【請求項３】
前記第一液と前記第二液を同時に噴霧することを特徴とする請求項１に記載の消臭方法。
【請求項４】
前記第二液の銅イオン及び／又は亜鉛イオンが、銅ウール及び／又は銅亜鉛合金ウールを水の中に浸漬させた状態で供給されることを特徴とする請求項１〜３のいずれか１項に記載の消臭方法。
【請求項５】
前記第一液が、銅イオン及び／又は亜鉛イオンを含むことを特徴とする請求項１〜４のいずれか１項に記載の消臭方法。
【請求項６】
ｐＨ１２．０以上のアルカリ電解水からなる第一液と、ｐＨ５〜１０の範囲であってアルコール類を含まず、且つ銅イオン及び／又は亜鉛イオンを含む水溶液からなる第二液とからなることを特徴とする噴霧用消臭剤セット。
【請求項７】
前記第二液の銅イオン及び／又は亜鉛イオンが、銅ウール及び／又は銅亜鉛合金ウールを水の中に浸漬させた状態で存在することを特徴とする請求項５に記載の噴霧用消臭剤セット。
【請求項８】
前記第一液が、銅イオン及び／又は亜鉛イオンを含むことを特徴とする請求項５又は６に記載の噴霧用消臭剤セット。
【発明の詳細な説明】
【技術分野】
【０００１】
本発明は、今まで香料などのマスキングでしか臭いを消臭できなかった臭いを消し、且つ新たな臭い物質の発生を低減させる新たな機構の消臭方法および消臭方法に関するものである。
【背景技術】
【０００２】
一般に家庭における不快臭としては、トイレ空間の糞尿由来臭、台所の生ゴミ臭、リビングの煙草臭、玄関の靴臭、寝具など布製品の臭い、生活者の汗や体臭等、多種多様な臭気が挙げられるが、これらはいずれも通常の生活の中で生じる生活臭である。
これら生活臭の多くには、微生物が関与している。例えば、台所の生ゴミ臭は、微生物が食物を栄養源として繁殖し、食物を腐敗させた腐敗臭であり、その臭いの原因は多岐にわたり、生ごみの臭いを一つの方法で消臭するのは困難であった。どうしても消臭できない臭いについては、香料によりマスキングして臭いを感じさせない方法がとられていた。
【０００３】
従来から、臭気成分を消すために、様々な消臭剤や住居用洗剤等が提案されている。その中で、既に発生してしまった臭いに対しては、物理的方法及び化学的手法が提案されている。
化学的な手法として、例えば銅（II）イオンおよび／または亜鉛イオンの塩を主体とした消臭剤が提案されている（例えば特許文献１）。
【０００４】
この特許文献１は、銅（II）イオンおよび／または亜鉛イオンの塩が臭気の発生、特に窒素系臭気（例えばトリメチルアミンやアンモニア）の発生、を抑制する。また、銅（II）イオンおよび／または亜鉛イオンが硫黄系臭気（例えばメチルメルカプタン）を消去するとの伝聞情報を記載している。
【０００５】
【特許文献１】特開２００８−３６３８６
【発明の開示】
【発明が解決しようとする課題】
【０００６】
しかし、生ごみの腐敗臭の中でも卵の腐敗臭、たまねぎの腐敗臭やキャベツの腐敗臭などには、銅（II）イオンおよび／または亜鉛イオンはほとんど効かない。
本願発明の目的は、家庭用生ごみにおいて従来の方法では消臭できなかった臭いを消し、香料などマスキング剤を使用する必要のない消臭方法を提供することである。
【課題を解決するための手段】
【０００７】
上記目的は、エタノール含有水溶液またはアルカリ電解水からなる第一液の噴霧水滴とｐＨ５〜１０の範囲であってアルコール類を含まず、且つ銅イオンもしくは亜鉛イオンを含む水溶液からなる第二液の噴霧水滴とを、臭い成分が存在する雰囲気に同時に存在させることを特徴とする消臭方法により達成される。
この同時に存在させる状況を作るには、上記第二液の噴霧前または同時に、エタノール水溶液またはアルカリ電解水からなる第一液を噴霧することにより可能である。
【０００８】
本発明の特徴は、第二液のｐＨ５〜１０の範囲であってアルコール類を含まず且つ銅イオンや亜鉛イオンを含む液が臭い成分のある雰囲気に噴霧されて生じる微小水滴の周りに、第一液のアルコール含有微小水滴またはアルカリ電解水微小水滴が存在していることであり、この第一液の微小水滴と第二液の微小水滴が共存している場合に、生ごみの腐敗臭の中の卵の腐敗臭、たまねぎの腐敗臭、キャベツの腐敗臭及びにんにく臭を効果的に消臭する。
第一液と第二液の微小水滴の共存状態は、同時に噴霧するのが最もよいが、第一液を噴霧した後、その微小水滴が残っているうちに第二液の噴霧をしてもよい。
本発明では、第一液の噴霧によりアルコール臭、または新たな臭い物質、例えばアンモニヤ臭などが発生する場合があるが、それらはｐＨ５〜１０の範囲であってアルコール類を含まず且つ銅イオンや亜鉛イオンを含む第二液により消臭される。
本発明は、第一液が噴霧により生じる微小水滴が、第二液の噴霧微小水滴とは別に存在することが必要である。
本発明の第二液は、エタノールなどのアルコール類を含まないこと、およびｐHが10以下で、ｐH3以上であることが必要である。
すなわち、第二液は水（水道水又は精製水）と消臭金属イオンからなるのがよく、また消臭金属イオンを含むクエン酸溶液または酸性電解水であってもよい。アルコールを含むと効果を発揮せず、またｐＨも１０より上であってはならない。
【０００９】
発明の好ましい態様
第二液の銅イオンと亜鉛イオンの濃度はそれぞれ、０．１ｐｐｍ〜２０ｐｐｍが適切である。
この濃度は、銅ウールや黄銅ウールを水に漬けておくことにより、本発明の効果を発揮する濃度を得ることができる。
また、銅塩や亜鉛塩を水に溶かしても得られる。しかし、対アニオンを第二液が含むことになり、この対アニオンが雰囲気にある物質と反応して副作用を起こすことがあり、銅ウールや黄銅ウールを水に漬けておく方法がもっとも好ましい。ただし、銅ウールからは、銅イオンのみしか水に溶けださない。
第一液のアルコール濃度は、１から２０％程度が適切である。
第一液のアルカリ電解水のｐＨは、１２．０以上、望ましくは１３．０以上が望ましい。
本発明では、家庭用生ごみの臭いの大半を消臭するので、マスキングとしての香料を使用する必要はないが、特殊な成分から発する臭気に対してのマスキングとしてあるいは芳香剤として香料を第二液に添加することができる。
【００１０】
参考例
第一液として、エタノール５％水溶液及びエタノール１５％水溶液を作成した。また第二液として黄銅金属ウールを水溶液に浸した液を作製した。金属イオン濃度は銅イオン：０．４２mｇ/L、亜鉛イオン：０．９mg/L であった。濃度測定はICP発光分析法で行った。この第一液および第二液を下表の使用形態のように腐敗臭を発生させているものが入っている広口ビンの中に噴霧してその消臭効果を測定した。
消臭効果は１０人に噴霧後の広口ビンに鼻をよせて臭いを感じるか否かを判断してもらい、８人以上が臭いなしと感じれば◎、６〜７人なら○、３人〜５人なら△、２人以下なら×とした。
【００１１】
下記表１から、エタノール水溶液からなる第一液と銅亜鉛イオンを含む水溶液からなる第二液とを第二液噴霧以前に第一液を噴霧したときに、玉ねぎ、キャベツ、卵の腐敗臭、或いは生のおろしにんにくの臭いを消す作用が現れることが明らかである。また第一液がエタノールを含んでいることが必要であり、また別々に噴霧するときに消臭作用が現れる。
以上のように本願発明が、従来の消臭方法に比べて家庭での生ごみから発生するより広い範囲の臭いに対して有効である消臭方法であることが分かる。
また、参考例５と比較例５との比較から、第二液はアルコールを含まない金属イオン含有水でないと消臭効果を発揮しないことが分かる。
【００１２】
【表１】
0005697135.tif 000002
【００１３】
表1において×１は、アルコール臭が残ることを表す。
【００１４】
実施例
第一液として、ｐＨ１３．２のアルカリ電解水を使用し、更に表２記載の物質を添加した組成のものを調製した。アルカリ電解水に黄銅ウールを漬けた実施例５の第一液、比較例６の第一液および第二液、比較例７の第一液には金属イオンが多く溶け込む。金属イオン濃度測定は、パックテスト：（株）共立理科学研究所を使用したが、これの測定範囲の上限を超していたので、この上限値を実施例には記載した。実施例５の第一液、比較例６の第一液および第二液、比較例７の第一液以外はICP発光分析法にて金属イオン濃度を測定した。
また第二液として黄銅ウールを水溶液に浸した液を作製した。金属イオン濃度は銅イオン：０．４２mｇ/L、亜鉛イオン：０．９mg/Lであった。
この第一液および第二液を下表の使用形態のように腐敗臭を発生させているものが入っている広口ビンの中に噴霧してその消臭効果を測定した。
消臭効果は１０人に噴霧後の広口ビンに鼻をよせて臭いを感じるか否かを判断してもらい、８人以上が臭いなしと感じれば◎、６〜７人なら○、３人〜５人なら△、２人以下なら×とした。
【００１５】
下記表２から、ｐＨが１３．２のアルカリ電解水を第一液として銅亜鉛イオンを含む水溶液からなる第二液の噴霧前か同時に噴霧することで玉ねぎ、キャベツ、卵の腐敗臭、或いは生のおろしにんにくの臭いを消す作用が現れることがわかる。水を第二液噴霧以前に噴霧しても消臭効果は発揮されないことも明瞭である。
また、実施例５と比較例７との比較から、第二液はｐＨが１０以下の中性に近いものでないと本発明の効果が発揮しないことが分かる。
【００１６】
【表２】
0005697135.tif 000003
【発明の効果】
【００１７】
本発明の消臭方法は、家庭用生ごみのより広い範囲の臭いを消去することができる。また、本願の消臭剤は銅イオン、亜鉛イオン、エタノール、アルカリ電解水など人体に影響のない化学物質で構成され、香料なども使用せず人体にやさしい消臭剤である。